【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
ハイパーテキストシステムを構成するページの組について、ユーザが当該ページの組を一連の操作でアクセスした度合いを示すページ間アクセス類似度と、当該ページの組のリンク距離を示すハイパーリンク遷移数とを解析するハイパーテキスト解析装置であって、
ハイパーテキストシステムへのアクセス履歴情報に基づいて該ハイパーテキストシステムを構成するページの組に対してページ間アクセス類似度を計算するアクセス傾向解析手段と、
前記各ページの組のハイパーリンク遷移数を計算するハイパーリンク解析手段と、
算出された各ページ組のページ間アクセス類似度とハイパーリンク遷移数を座標系に表示する表示手段と、を備え、
ユーザーにハイパーテキストシステムの構成の優劣を視覚的に表示することを特徴とするハイパーテキスト解析装置。
【請求項２】
請求項１に記載のハイパーテキスト解析装置において、
ページ間アクセス類似度とハイパーリンク遷移数とから見て、問題があるハイパーリンク構成のページ組群と問題がないハイパーリンク構成のページ組群とを予め訓練データとして記憶する訓練データ記憶手段と、
算出された各ページ組のページ間アクセス類似度とハイパーリンク遷移数とを訓練データと比較して、当該各ページの組の構成の優劣を評価する判別手段と、を備え、
前記表示手段は判断手段による評価結果を表示することを特徴とするハイパーテキスト解析装置。
【請求項３】
ハイパーテキストシステムを構成するページの組について、当該ページの組の内容的な類似度を示すページ間内容類似度と、当該ページの組のリンク距離を示すハイパーリンク遷移数とを解析するハイパーテキスト解析装置であって、
ハイパーテキストシステムを構成するページの組に対して各ページに共通して出現する単語の頻度に基づいて当該ページの組のページ間内容類似度を計算する内容解析手段と、
前記各ページの組のハイパーリンク遷移数を計算するハイパーリンク解析手段と、
算出された各ページ組のページ間内容類似度とハイパーリンク遷移数を座標系に表示する表示手段と、を備え、
ユーザーにハイパーテキストシステムの構成の優劣を視覚的に表示することを特徴とするハイパーテキスト解析装置。
【請求項４】
請求項３に記載のハイパーテキスト解析装置において、
ページ間内容類似度とハイパーリンク遷移数とから見て、問題があるハイパーリンク構成のページ組群と問題がないハイパーリンク構成のページ組群とを予め訓練データとして記憶する訓練データ記憶手段と、
算出された各ページ組のページ間内容類似度とハイパーリンク遷移数とを訓練データと比較して、当該各ページの組の構成の優劣を評価する判別手段と、を備え、
前記表示手段は判断手段による評価結果を表示することを特徴とするハイパーテキスト解析装置。
【請求項５】
ハイパーテキストシステムを構成するページの組について、ユーザが当該ページの組を一連の操作でアクセスした度合いを示すページ間アクセス類似度と、当該ページの組の内容的な類似度を示すページ間内容類似度とを解析するハイパーテキスト解析装置であって、
ハイパーテキストシステムへのアクセス履歴情報に基づいて該ハイパーテキストシステムを構成するページの組に対してページ間アクセス類似度を計算するアクセス傾向解析手段と、
当該ページの組に対して各ページに共通して出現する単語の頻度に基づいて当該ページの組のページ間内容類似度を計算する内容解析手段と、
算出された各ページ組のページ間アクセス類似度とページ間内容類似度とを座標系に表示する表示手段と、を備え、
ユーザーにハイパーテキストシステムの構成の優劣を視覚的に表示することを特徴とするハイパーテキスト解析装置。
【請求項６】
請求項５に記載のハイパーテキスト解析装置において、
ページ間アクセス類似度とページ間内容類似度とから見て、問題があるハイパーリンク構成のページ組群と問題がないハイパーリンク構成のページ組群とを予め訓練データとして記憶する訓練データ記憶手段と、
算出された各ページ組のページ間アクセス類似度とページ間内容類似度とを訓練データと比較して、当該各ページの組の構成の優劣を評価する判別手段と、を備え、
前記表示手段は判断手段による評価結果を表示することを特徴とするハイパーテキスト解析装置。
【請求項７】
ハイパーテキストシステムを構成するページの組について、ユーザが当該ページの組を一連の操作でアクセスした度合いを示すページ間アクセス類似度と、当該ページの組の内容的な類似度を示すページ間内容類似度と、当該ページの組のリンク距離を示すハイパーリンク遷移数とを解析するハイパーテキスト解析装置であって、
ハイパーテキストシステムへのアクセス履歴情報に基づいて該ハイパーテキストシステムを構成するページの組に対してページ間アクセス類似度を計算するアクセス傾向解析手段と、
前記各ページの組に対して各ページに共通して出現する単語の頻度に基づいて当該ページの組のページ間内容類似度を計算する内容解析手段と、
前記各ページの組のハイパーリンク遷移数を計算するハイパーリンク解析手段と、
算出された各ページ組のページ間アクセス類似度とページ間内容類似度とハイパーリンク遷移数を３次元座標系に表示する表示手段と、を備え、
ユーザーにハイパーテキストシステムの構成の優劣を視覚的に表示することを特徴とするハイパーテキスト解析装置。
【請求項８】
請求項７に記載のハイパーテキスト解析装置において、
ページ間アクセス類似度とページ間内容類似度とハイパーリンク遷移数とから見て、問題があるハイパーリンク構成のページ組群と問題がないハイパーリンク構成のページ組群とを予め訓練データとして記憶する訓練データ記憶手段と、
算出された各ページ組のページ間アクセス類似度とページ間内容類似度とハイパーリンク遷移数とを訓練データと比較して、当該各ページの組の構成の優劣を評価する判別手段と、を備え、
前記表示手段は判断手段による評価結果を表示することを特徴とするハイパーテキスト解析装置。
【請求項９】
請求項１又は請求項２及び請求項５乃至請求項８のいずれか１項に記載のハイパーテキスト解析装置において、
ハイパーテキストシステムを網羅的にアクセスして自動的に情報を収集する探索ロボットを識別して、当該探索ロボットのアクセス履歴をアクセス傾向解析手段が用いるアクセス履歴情報から排除する識別子整形手段を、有することを特徴とするハイパーテキスト解析装置。
【請求項１０】
請求項１乃至請求項４及び請求項７又は請求項８のいずれか１項に記載のハイパーテキスト解析装置において、
ハイパーリンク解析手段は、ページの組についてそれぞれのページを起点にハイパーリンクの向きを考慮して最短で他方のページに到達する経路のハイパーリンク遷移数を計算し、その値が小さい方を当該ページの組のハイパーリンク遷移数とすることを特徴とするハイパーテキスト解析装置。
【請求項１１】
ハイパーテキストシステムを構成するページの組について、ユーザが当該ページの組を一連の操作でアクセスした度合いを示すページ間アクセス類似度と、当該ページの組のリンク距離を示すハイパーリンク遷移数とをコンピュータによって解析させるためのプログラムを読み取り可能に記憶した記憶媒体であって、
ハイパーテキストシステムへのアクセス履歴情報に基づいて該ハイパーテキストシステムを構成するページの組に対してページ間アクセス類似度を計算するアクセス傾向解析手段と、
前記各ページの組のハイパーリンク遷移数を計算するハイパーリンク解析手段と、
算出された各ページ組のページ間アクセス類似度とハイパーリンク遷移数を座標系に表示する表示手段と、
をコンピュータに実現させるプログラムを記憶したことを特徴とする記憶媒体。
【請求項１２】
ハイパーテキストシステムを構成するページの組について、当該ページの組の内容的な類似度を示すページ間内容類似度と、当該ページの組のリンク距離を示すハイパーリンク遷移数とをコンピュータによって解析させるためのプログラムを読み取り可能に記憶した記憶媒体であって、
ハイパーテキストシステムを構成するページの組に対して各ページに共通して出現する単語の頻度に基づいて当該ページの組のページ間内容類似度を計算する内容解析手段と、
前記各ページの組のハイパーリンク遷移数を計算するハイパーリンク解析手段と、
算出された各ページ組のページ間内容類似度とハイパーリンク遷移数を座標系に表示する表示手段と、
をコンピュータに実現させるプログラムを記憶したことを特徴とする記憶媒体。
【請求項１３】
ハイパーテキストシステムを構成するページの組について、ユーザが当該ページの組を一連の操作でアクセスした度合いを示すページ間アクセス類似度と、当該ページの組の内容的な類似度を示すページ間内容類似度とをコンピュータによって解析させるためのプログラムを読み取り可能に記憶した記憶媒体であって、
ハイパーテキストシステムへのアクセス履歴情報に基づいて該ハイパーテキストシステムを構成するページの組に対してページ間アクセス類似度を計算するアクセス傾向解析手段と、
当該ページの組に対して各ページに共通して出現する単語の頻度に基づいて当該ページの組のページ間内容類似度を計算する内容解析手段と、
算出された各ページ組のページ間アクセス類似度とページ間内容類似度とを座標系に表示する表示手段と、
をコンピュータに実現させるプログラムを記憶したことを特徴とする記憶媒体。
【請求項１４】
ハイパーテキストシステムを構成するページの組について、ユーザが当該ページの組を一連の操作でアクセスした度合いを示すページ間アクセス類似度と、当該ページの組の内容的な類似度を示すページ間内容類似度と、当該ページの組のリンク距離を示すハイパーリンク遷移数とをコンピュータによって解析させるためのプログラムを読み取り可能に記憶した記憶媒体であって、
ハイパーテキストシステムへのアクセス履歴情報に基づいて該ハイパーテキストシステムを構成するページの組に対してページ間アクセス類似度を計算するアクセス傾向解析手段と、
前記各ページの組に対して各ページに共通して出現する単語の頻度に基づいて当該ページの組のページ間内容類似度を計算する内容解析手段と、
前記各ページの組のハイパーリンク遷移数を計算するハイパーリンク解析手段と、
算出された各ページ組のページ間アクセス類似度とページ間内容類似度とハイパーリンク遷移数を３次元座標系に表示する表示手段と、
をコンピュータに実現させるプログラムを記憶したことを特徴とする記憶媒体。
【請求項１５】
解析装置に備えられたアクセス傾向解析手段とハイパーリンク解析手段とにより、ハイパーテキストシステムを構成するページの組について、ユーザが当該ページの組を一連の操作でアクセスした度合いを示すページ間アクセス類似度と、当該ページの組のリンク距離を示すハイパーリンク遷移数とを解析するハイパーテキスト解析方法であって、
アクセス傾向解析手段が、ハイパーテキストシステムへのアクセス履歴情報に基づいて該ハイパーテキストシステムを構成するページの組に対してページ間アクセス類似度を計算し、
ハイパーリンク解析手段が、前記各ページの組のハイパーリンク遷移数を計算し、
算出された各ページ組のページ間アクセス類似度とハイパーリンク遷移数を座標系に表示して、ユーザーにハイパーテキストシステムの構成の優劣を視覚的に表示することを特徴とするハイパーテキスト解析方法。